(57)【要約】【課題】近隣や住環境に迷惑や被害を与えることなく、侵入者の行動を効果的に抑制し得る防犯システムを提供する。【解決手段】コントローラ９は、遮光部２が遮光状態にあり、かつ、異常検知部８から侵入者を検知した旨の検知信号を受信した場合に、玄関照明４に点灯制御信号を送出し、その数秒経過後に、消灯制御信号を送出する。玄関エリアＥＡに侵入した侵入者の眼は明環境に数秒間慣らされた後、突然、暗環境に晒されることになる。これにより、玄関エリアＥＡ内で侵入者に対し暗順応を必要とさせる環境が作り出され、侵入者の視界を一時的に奪うことができ、侵入者の行動を抑制できる。【選択図】図２
2005275704.tif 000002
【特許請求の範囲】
【請求項１】
採光のある居住エリアと玄関照明のある玄関エリアとの間に設けられ、居住エリアから玄関エリアに入り込む光を遮る遮光状態と遮らない開放状態とをとり得る遮光手段と、
玄関からの侵入者を検知する検知手段と、
玄関照明の点灯／消灯を切り替える照明切替手段と、
制御手段と、を有し、
制御手段は、
遮光手段が遮光状態にあり、かつ、検知手段から侵入者を検知した旨の検知信号を受信した場合に、
照明切替手段に玄関照明を点灯させる旨の点灯制御信号を送出し、その数秒経過後に、照明切替手段に玄関照明を消灯させる旨の消灯制御信号を送出する防犯処理を実行する
防犯システム。
【請求項２】
制御手段は、
遮光手段の状態変更を検知可能であり、
遮光手段が開放状態から遮光状態に変更される操作と連動して、前記防犯処理を実行しない在宅モードから前記防犯処理を実行可能な警戒モードに自動的に切り替える
請求項１記載の防犯システム。
【請求項３】
制御手段により制御可能なフラッシュ付き撮像手段をさらに有し、
制御手段は、消灯制御信号を送出した後に、撮像手段にフラッシュの発光および／または撮像を行わせる制御信号を送出する
請求項１または２記載の防犯システム。
【請求項４】
音を出力する出力手段をさらに有し、
制御手段は、前記防犯処理時に、侵入者に対して警告を促す内容の音信号を出力手段に送出する
請求項１、２または３記載の防犯システム。
【請求項５】
制御手段の制御により、居住エリアと玄関エリアの間の通路を遮断する遮断状態と通路を遮断しない非遮断状態とに切替可能な遮断手段をさらに有し、
制御手段は、前記防犯処理時に、遮断状態に切り替える旨の遮断制御信号を遮断手段に送出する
請求項１〜４のうちいずれか１項記載の防犯システム。
【発明の詳細な説明】
【技術分野】
【０００１】
本発明は、玄関から不正侵入した者の行動を阻止するための防犯システムに関する。
【背景技術】
【０００２】
近年、ピッキングやサムターン回しなどの侵入窃盗が急増している。これに伴い、個人レベルでの防犯意識が高まり、玄関などに防犯システムを設置する家庭が増えてきている。
【０００３】
この種の防犯システムとしては、不正開錠や侵入者を検知して警告音を鳴らす装置、侵入者を監視する防犯カメラ、煙幕を発生させる装置、カラーボールを侵入者に向けて発射する装置など、が提案されている。
【発明の開示】
【発明が解決しようとする課題】
【０００４】
しかしながら、従来の防犯システムは、住居への侵入を未然に防ぐか、侵入者に対して威嚇を行うことを主眼としたものに限られ、一旦侵入を許してしまった後は侵入者の行動を有効に阻止することができなかった。
【０００５】
例えば、サイレンなどの警告音では、侵入者に対する威嚇にはなるが、一瞬躊躇させることはできても、侵入者の行動そのものの自由を奪うことはできない。よって、警察や警備会社の人員が来るまでに窃盗を済まし逃亡されるケースが多い。また、警告音は大音量であるため、誤検知により作動した場合には、近隣の住人に迷惑をかけてしまう。
【０００６】
防犯カメラも侵入者の行動を阻止できない点では同じである。撮像画像は侵入者を逮捕するために有力な捜査情報とはなっても、事後対処の情報に過ぎない。検挙率が低下している現状では、犯人逮捕も盗難被害を取り戻せることも期待できず、被害救済につながらない。
【０００７】
煙幕を発生させる方法は侵入者の行動をある程度阻止できるものの、その効果はあまり大きくない。また、煙幕を張るまでに時間を要するため、その隙に住居内に侵入される可能性が高い。しかも、侵入者を包み込むくらいに発生させた煙幕は近所迷惑となる可能性もあり、場合によっては火事と間違えられてしまう恐れがある。
【０００８】
カラーボールを発射する方法では、侵入者に命中しなかった場合に、散乱したインクの後始末が大変である。また、侵入検知センサの誤検知などによってカラーボールが発射された場合も同様である。さらに、警戒モード解除忘れなどの場合には、住人に向かってカラーボールが発射されてしまう可能性もある。
【０００９】
このように誤検知による威嚇手段が、近隣の迷惑になる、住人も被害を被ることがあるということが、防犯システムの普及を阻む一因となっているとも考えられる。
【００１０】
本発明は上記実情に鑑みてなされたものであって、その目的とするところは、近隣や住環境に迷惑や被害を与えることなく、侵入者の行動を効果的に抑制し得る防犯システムを提供することにある。
【課題を解決するための手段】
【００１１】
上記目的を達成すべく検討を重ねた結果、本発明者らは、侵入者の行動を抑制する手法
として、人の生理的現象である「暗順応」を利用する、という着想を得た。
【００１２】
人の目は、明るいところから暗いところに慣れるまでにある程度の時間を要する。この暗さに慣れることを「暗順応」という。医学的には、暗順応は、４〜５分で周りが少しずつ見え始め、完全に順応するまでには３０分から１時間かかるといわれている。（ちなみに、暗順応とは逆の現象である「明順応」の場合は、４０秒から１分で目が慣れるといわれている。）一方、侵入盗犯罪者の心理として、住宅への侵入に一定以上の時間（５分から１０分といわれている）を要した場合、侵入を諦める傾向にある。
【００１３】
さらに、本発明者らは次の点にも着目した。
・住宅への侵入窃盗は昼間（つまり明るい時間帯）でも多い。
・マンションなどの集合住宅への侵入経路は大別して、玄関側かベランダ側のどちらかである。統計的には、ピッキング、無締まり、ドア錠破りなどの手口による玄関からの侵入が７割近くを占める（警視庁ウェブサイト「空き巣ねらい防犯対策〜平成１４年中の傾向〜」，http://www.keishicho.metro.tokyo.jp/seian/ppiking/ppiking.htm#14nen 参照）。
・マンションなどの集合住宅は、一般に、ダイニングやリビングなどの居住エリアの採光性が高くなるように設計される。その結果、玄関は居住エリアの反対側に配置され、窓も設けられない傾向にある。よって、玄関エリア（玄関から居住エリア手前までの空間）は、玄関照明や居住エリアから差し込む光がない限り、晴天の昼間でもかなり暗い。
・窃盗の対象となる金銭や物品は、ほとんどの場合、居住エリアに存在する。よって、玄関から侵入した侵入者は、次の行動として、直ちに居住エリアに進み入ろうとする。
【００１４】
本発明は、上述した人の生理的現象、犯罪者の心理、侵入盗犯の傾向、住宅の構造等の条件を巧みに利用してなされたものであり、次の構成をその要旨とする。
【００１５】
本発明に係る防犯システムは、玄関からの侵入者を検知する検知手段と、検知手段から侵入者を検知した旨の検知信号を受信した場合に、玄関エリア内でその侵入者に対し暗順応を必要とさせる環境を作り出す暗環境構築手段と、を備える。
【００１６】
これにより、玄関エリア内への侵入を許したとしても、その場で暗環境を構築し、侵入者の視界を一時的に奪うことができる。住人でない侵入者の場合、玄関エリア内の構造を熟知しているわけではないので、目が慣れるまでの数分間は自由に動き回ることができない。つまり、侵入者を玄関エリアに足止めし、その先にある居住エリアへの侵入を諦めさせる効果が期待できるのである。また、この方法によれば、近隣や住環境に迷惑や被害を与えることがない、という利点もある。
【００１７】
本発明の具体的な一態様としては、防犯システムが、採光のある居住エリアと玄関照明のある玄関エリアとの間に設けられ、居住エリアから玄関エリアに入り込む光を遮る遮光状態と遮らない開放状態とをとり得る遮光手段と、玄関からの侵入者を検知する検知手段と、玄関照明の点灯／消灯を切り替える照明切替手段と、制御手段と、を有するとよい。そして、制御手段が、遮光手段が遮光状態にあり、かつ、検知手段から侵入者を検知した旨の検知信号を受信した場合に、照明切替手段に玄関照明を点灯させる旨の点灯制御信号を送出し、その数秒経過後に、照明切替手段に玄関照明を消灯させる旨の消灯制御信号を送出する防犯処理を実行するとよい。
【００１８】
この構成によれば、侵入者を検知すると自動的に玄関照明が点灯し、その数秒後に自動的に消灯する。このとき、遮光手段で玄関エリア内に入り込む光が遮られているので、玄関エリア内は十分に暗い状態となる。つまり、侵入者の眼は明環境に数秒間慣らされた後、突然、暗環境に晒されるのである。したがって、玄関エリア内で侵入者に対し暗順応を
必要とさせる環境が作り出され、効果的に侵入者の行動を抑制することができる。
【００１９】
ここで、好ましくは、制御手段が、遮光手段の状態変更を検知可能であり、遮光手段が開放状態から遮光状態に変更される操作と連動して、前記防犯処理を実行しない在宅モードから前記防犯処理を実行可能な警戒モードに自動的に切り替えるとよい。
【００２０】
遮光手段が開放状態のままでは、玄関エリアに十分な暗環境を作り出すことはできない。また、一般に、防犯システムには防犯処理を有効にしておく「警戒モード」と無効にしておく「在宅モード」とがあるが、このようなモード切替を利用者の手動に委ねると、モードの切り替え忘れによりせっかくの防犯システムが機能しない。
【００２１】
その点、遮光手段の状態変更と連動してモード切替が自動的に行われるような構成によれば、暗環境を確実に作り出せるので防犯機能の信頼性を高めることができるとともに、モードの切り替え忘れの心配がない。
【００２２】
しかも、遮光手段の状態とモード切替とを連動させる構成には、次のような利点もある。遮光手段の構成上、それが遮光状態にセットされるのは、玄関エリアを長時間利用する予定がないとき、すなわち外出時や就寝時などの蓋然性が高い。これは、ちょうど防犯処理が必要とされる状況に一致する。すなわち、上述したモード切替機能によれば、利用者は意識してモード切替を行う必要はなく、外出や就寝する際に遮光手段を閉めるという自然な行為に付随して警戒モードへの切替が自動的に行われるのである。
【００２３】
なお、遮光手段としては、手動または電動で開閉可能な遮光性を有するカーテン、扉、ブラインド、仕切りなどを採用できる。手動で開閉（遮光状態と開放状態の切替）がなされる場合は、センサなどを用いて遮光手段の状態を検知すればよい。また電動で開閉がなされる場合は、遮光手段を開閉するための操作スイッチのＯＮ／ＯＦＦと連動して、モード切替を行えばよい。
【００２４】
また、制御手段により制御可能なフラッシュ付き撮像手段、音を出力する出力手段などを設けることも好ましい。制御手段が玄関照明の消灯制御信号を送出した後に、撮像手段にフラッシュの発光および／または撮像を行わせる制御信号を送出したり、侵入者に対して警告を促す内容の音信号を出力手段に送出したりすれば、侵入者に対する目くらましや威嚇となり、侵入者の撃退効果が高まる。
【００２５】
さらに、防犯システムが、制御手段の制御により、居住エリアと玄関エリアの間の通路を遮断する遮断状態と通路を遮断しない非遮断状態とに切替可能な遮断手段をさらに有し、制御手段が、前記防犯処理時に、遮断状態に切り替える旨の遮断制御信号を遮断手段に送出するとよい。
【００２６】
遮断手段で玄関エリアから居住エリアへの通路を遮断することで、侵入者が居住エリアに進み入ることを困難にできる。なお、遮光手段が遮断手段を兼ねている構成も好ましい。この場合、遮断状態とは、遮光手段が遮光状態のままロックされた状態（手動で開放できない状態）をいう。もちろん、遮光手段と遮断手段とを別々に設けてもよい。
【００２７】
なお、本発明は、上記手段の少なくとも一部を有する防犯システム（防犯装置）として捉えることができる。また、本発明は、上記処理の少なくとも一部を含む防犯処理方法（侵入者撃退方法）、または、かかる方法を実現するためのプログラムとして捉えることもできる。上記手段および処理の各々は可能な限り互いに組み合わせて本発明を構成することができる。
【発明の効果】
【００２８】
本発明によれば、近隣や住環境に迷惑や被害を与えることなく、侵入者の行動を効果的に抑制し、侵入盗犯を防ぐことができる。
【発明を実施するための最良の形態】
【００２９】
以下に図面を参照して、この発明の好適な実施の形態を例示的に詳しく説明する。
【００３０】
図１は、マンションなどの集合住宅の間取りを示している。一般的な間取りでは、リビング、ダイニング、寝室などの居住エリアＬＡは採光をよくするために南側に設けられ、玄関はその反対側に設けられる。ここでは、玄関ドアＤから居住エリアＬＡ手前までの空間を玄関エリアＥＡとよぶ。玄関エリアＥＡは昼間でも暗いため、玄関照明が設けられる。
【００３１】
＜防犯システムの構成＞
図２は、本発明の一実施形態に係る防犯システムの構成および設置例を示している。
【００３２】
防犯システム１は、遮光部２、状態検知部３、玄関照明４、撮像部５、フラッシュ６、警告出力部７、異常検知部８、コントローラ９を備える。状態検知部３、玄関照明４、撮像部５、フラッシュ６、警告出力部７、異常検知部８は信号線によりコントローラ９に接続されている。コントローラ９は各種検知信号の受信、各種制御信号の送出などを行い、防犯システム１全体を統括制御する制御手段である。また、コントローラ９は操作パネルを備え、利用者からの設定入力を受け付け可能である。
【００３３】
遮光部２は、居住エリアＬＡと玄関エリアＥＡとの間に設けられた遮光手段である。遮光部２は、手動で開閉可能であり、居住エリアＬＡから玄関エリアＥＡに入り込む光を遮る遮光状態（閉状態）と、光を遮らない開放状態とをとり得る。つまり、遮光部２を閉めることで玄関エリアＥＡは十分に暗い状態となる。
【００３４】
遮光部２としては、たとえば、遮光性を有する扉（図３参照）、カーテン（図４参照）、アコーディオンカーテン（図５参照）、ブラインド、襖などを採用できる。また、完全な遮光性までは必要なく、玄関エリアＥＡに多少の光が漏れてもかまわない。
【００３５】
状態検知部３は、遮光部２の状態変更、つまり遮光部２が遮光状態にあるか開放状態にあるかを検知するための遮光状態検知手段である。状態検知部３は、遮光部２が閉められたことを検知すると、遮光状態検知信号をコントローラ９に送出する。逆に、遮光部２が開けられたときには、開放状態検知信号を送出する。
【００３６】
図６に、状態検知部３の一具体例を示す。この例では、状態検知部３としてマグネットセンサが用いられている。マグネットセンサは、壁側に取り付けられるスイッチ部３０と遮光部２に取り付けられるマグネット部３１とから構成される。遮光部２が閉じられると、マグネット部３１とスイッチ部３０が接触して電気的接点が閉じ、スイッチ部３０から遮光状態検知信号が送出される。逆に、遮光部２が開き電気的接点が開くと、スイッチ部３０から開放状態検知信号が送出される仕組みになっている。状態検知部３としては、マグネットセンサの他にも、光電センサ、機械式センサ、スイッチなどを用いても良い。
【００３７】
玄関照明４は、玄関エリアＥＡに設けられた照明装置である。図７に玄関照明４のハードウェア構成を示す。玄関照明４は、照明部４０、点灯／消灯切替ＳＷ（スイッチ）４１、ＳＷ（スイッチ）部４２、信号受信部４３、制御部４４を備える。
【００３８】
照明部４０は玄関エリアＥＡの天井部分に備え付けられた照明であり、蛍光灯、白熱灯
、ハロゲンランプなどの一般的なものを採用できる。照明部４０の光量は大きいほうが好ましく、明るさを段階的に調整できるとなおよい。
【００３９】
点灯／消灯切替ＳＷ４１は、玄関照明４（照明部４０）の点灯／消灯を電気的に切り替えるスイッチであり、例えば、リレーなどの電気的にＯＮ／ＯＦＦするスイッチで構成される。一方、ＳＷ部４２は、玄関照明４（照明部４０）の点灯／消灯を手動で切り替えるためのスイッチであり、タンブラースイッチやスライド式のスイッチで構成される。ＳＷ部４２は玄関エリアの壁に設けられている。
【００４０】
信号受信部４３は、コントローラ９からの信号を受信する回路である。信号受信部４３で受信された信号は制御部４４に入力される。制御部４４は、電気回路やマイコンなどで構成される照明装置全体を制御する部分である。制御部４４は、点灯／消灯切替ＳＷ４１を制御することにより、照明部４０を点灯／消灯させたり、ＳＷ部４２のスイッチ操作を無効化させたりできる。スイッチ操作の無効化とは、ＳＷ部４２をＯＮ（またはＯＦＦ）にしてもその入力を無視して、照明部４０を消灯状態（または点灯状態）に保持することをいう。本実施形態では、制御部４４および点灯／消灯切替ＳＷ４１が本発明の照明切替手段に対応している。
【００４１】
撮像部５およびフラッシュ６は、コントローラ９により制御可能なフラッシュ付き撮像手段であり、コントローラ９からの制御信号によって、フラッシュ６の発光や撮像部５の撮像が実行される。これらは、玄関エリアＥＡ内に玄関ドアＤを臨むように設けられている。撮像部５としては、モノクロまたはカラーの静止画または動画を撮影可能なカメラを採用できる。
【００４２】
警告出力部７は、玄関エリアＥＡに向けて音を出力する出力手段であり、スピーカなどで構成される。警告出力部７には、コントローラ９から音信号が入力される。
【００４３】
異常検知部８は、玄関からの侵入者を検知する検知手段である。図８に異常検知部８のハードウェア構成を示す。異常検知部８は、検知部８０、施錠／開錠部８１、制御部８２、信号出力部８３を備える。
【００４４】
検知部８０は、玄関ドアＤに取り付けられるセンサである。センサとしては、玄関ドアＤの振動を検知する振動センサや、玄関ドアＤや鍵穴の振動音を検知するセンサなどを用いることができる。検知部８０の出力は制御部８２に送られる。制御部８２は、検知部８０から入力された信号を解析し、玄関ドアＤの異常の有無を判断する。例えば、制御部８２は、異音検査アルゴリズムを使用してピッキング特有の異常音を検出したり、振動、衝撃、振動音、衝撃音などを検知してサムターン回しの際に行われるドリルによる穴あけ、ドア破りの際に行われるバールによるこじ開けや蝶番破壊などを判断する。制御部８２は異常有りと判断すると、信号出力部８３を介して、侵入者を検知した旨の検知信号をコントローラ９に送出する。
【００４５】
施錠／開錠部８１は、電子錠であり、電気的に玄関ドアＤを施錠／開錠する部分である。利用者により施錠もしくは開錠されたときには、施錠／開錠部８１はその旨の信号を制御部８２に出力する。また、不正な鍵での開錠が試みられると、その旨の信号が制御部８２に出力される。つまり、制御部８２では、施錠／開錠の検知や不正開錠の検知などを行うことができる。
【００４６】
施錠／開錠部８１としては、プリタッチセンサを用いたドア開閉システム（以下、プリタッチセンサドアという）を採用することも好ましい。プリタッチセンサドアとは、正当な利用者の手がドアノブに近接したときのみ、ドアを自動開錠する仕組みである。
【００４７】
具体的には、鍵の代わりに利用者ＩＤが記録されたＲＦＩＤタグを使用し、錠側には利用者ＩＤを読み取るリーダと物体検知センサとを設ける。そして、正当な利用者ＩＤが読み取られて、かつ、物体（手）が所定の距離（数センチ）まで近接したときに、ドアを開錠するのである。開錠後、利用者ＩＤを受信しなくなるか、その受信強度が予め定める値以下という微弱な電波となるか、周囲数センチの間に物体が存在しなくなった場合には、ただちに施錠がなされる。ＲＦＩＤタグを持たないもの（侵入者）がドアノブに手を近づけても、ドアは開錠されない。
【００４８】
このようなプリタッチセンサドアを利用すれば、セキュリティが向上する。ＲＦＩＤタグを持たない者の手が一定時間検知されときには、侵入者とみなし、制御部８２から検知信号を送出するようにしてもよい。
【００４９】
なお、防犯システム１の構成中、撮像部５、フラッシュ６、警告出力部７、施錠／開錠部８１は必須のものではなく、防犯システム１で実行する処理に応じて適宜省略可能である。
【００５０】
以下、防犯システム１の動作の一例を述べる。
【００５１】
＜第１の動作例＞
図９および図１０は、防犯システム１の第１の動作例を示すフローチャートである。この動作例の場合は、撮像部５、フラッシュ６、警告出力部７などは不要である。
【００５２】
防犯システム１は、防犯処理を実行しない在宅モードと、防犯処理を実行可能な警戒モードの２つの動作モードを有する。通常は在宅モードである。在宅モードから警戒モードへ切り替える方法には２種類ある。一つは利用者がコントローラ９の操作パネルでモード切替操作を行う方法（手動切替）であり、もう一つは遮光部２が開放状態から遮光状態に変更される操作と連動して、警戒モードに自動的に切り替えられる場合（自動切替）である。なお、手動切替の場合でも、遮光部２を遮光状態にセットする必要がある。
【００５３】
コントローラ９は、操作パネルからの入力と状態検知部３からの検知信号を監視している（ステップＳ１，Ｓ２）。警戒モードへの切替操作が入力されるか、状態検知部３から遮光状態検知信号を受け取った場合には（ステップＳ１；Ｙｅｓ）、コントローラ９は動作モードを警戒モードに切り替え（ステップＳ３）、異常検知部８からの検知信号を監視し始める（ステップＳ４、Ｓ５）。このとき、遮光部２で光が遮られている玄関エリアＥＡ内は、十分に暗い状態となっている。
【００５４】
ピッキング、サムターン回し、ドア破りなど、玄関ドアＤに振動や衝撃が加えられ、玄関から侵入者が侵入したと判断された場合には、異常検知部８から侵入者を検知した旨の検知信号が送出される。コントローラ９は、この信号を受信すると（ステップＳ４；Ｙｅｓ）、撃退処理を実行する（ステップＳ７）。なお、警戒モード時に、在宅モードへの切替操作が入力されたり、状態検知部３から開放状態検知信号を受け取った場合には（ステップＳ６；Ｙｅｓ）、コントローラ９は動作モードを在宅モードに切り替えて処理を終了する（ステップＳ８）。
【００５５】
撃退処理（ステップＳ７）は、図１０のフローチャートに従って実行される。
【００５６】
コントローラ９は、まず、玄関照明４に対して点灯制御信号を送出するとともに、内蔵タイマにより経過時間の計測を開始する。玄関照明４では、制御部４４が信号受信部４３を介して点灯制御信号を受け取り、その信号に従って点灯／消灯切替ＳＷ４１を制御して
照明部４０を点灯させる（ステップＳ１０）。
【００５７】
続いて、コントローラ９は、経過時間が所定値（数秒）に達するまで点灯状態を維持した後（ステップＳ１１、Ｓ１２）、玄関照明４に対して消灯制御信号を送出する。この信号を受け取った制御部４４は、点灯／消灯切替ＳＷ４１を制御して照明部４０を消灯させる（ステップＳ１３）。また制御部４４は、ステップＳ１０またはステップＳ１３の段階でＳＷ部４２からの操作を無効化し、手動による照明のＯＮ／ＯＦＦができないようにしておく。
【００５８】
以上の処理によれば、侵入者を検知すると自動的に玄関照明４が点灯し、その数秒後に自動的に消灯する。つまり、玄関エリアＥＡに侵入した侵入者の眼は明環境に数秒間慣らされた後、突然、暗環境に晒されることになる。これにより、玄関エリアＥＡ内で侵入者に対し暗順応を必要とさせる環境が作り出され、侵入者の視界を一時的に奪うことができる。よって、侵入者を玄関エリアＥＡに足止めし、その先にある居住エリアＬＡへの侵入を諦めさせる効果が期待できる。
【００５９】
しかも本動作例では、手動による照明のＯＮ／ＯＦＦを無効化しているので、侵入者が手探りでＳＷ部４２を操作したとしても、玄関照明４が点灯することはない。よって、侵入者の行動を確実に抑制できる。
【００６０】
なお、暗順応を効果的に生じさせるには、絶対的な暗さよりも、明環境と暗環境の相対的な明るさの差のほうが重要である。したがって、遮光部２から多少光が漏れていたり、玄関エリアに設けられた小窓から外光が若干入り込んでいるような環境でも、上記効果を得ることは可能である。
【００６１】
また、相対的な明るさの差を大きくするために、撃退処理における照明部４０の光量をできるだけ明るくすることも好ましい。たとえば、照明部４０の光量を段階的に切り替えられる場合には、撃退処理においては通常（住人がＳＷ部４２で点灯する場合）よりも光量を上げるようにするとよい。撃退処理用に光量の大きいハロゲンランプなどを用いることも好ましい。
【００６２】
さらに本動作例では、遮光部２の状態変更と連動してモード切替が自動的に行われ、暗環境を確実に作り出せるので防犯機能の信頼性を高めることができるとともに、モードの切り替え忘れの心配がない。また、どちらのモードになっているかが視覚的にはっきりと分かる、という効果も期待できる。
【００６３】
以上述べたような撃退処理によれば、従来の煙幕やカラーボールなどと比較して、近隣や住環境に与える迷惑や被害を与えることがない、という利点もある。
【００６４】
次に、他の動作例について述べる。下記第２〜第６の動作例は撃退処理の変形例であり、第７の動作例はモード切替処理の変形例である。第２〜第７の動作例において上記第１の動作例と共通するステップについては同一の番号を付して、その詳しい説明は省略する。なお、各動作例の処理は適宜置き換えたり組み合わせたりすることが可能である。
【００６５】
＜第２の動作例：フラッシュ点灯＞
第２の動作例における撃退処理は、図１１のフローチャートに従って実行される。本動作例の場合は、撮像部５、警告出力部７などは不要である。
【００６６】
コントローラ９は、第１の動作例と同様に、玄関照明４の点灯および消灯の制御を行った後（ステップＳ１０〜Ｓ１３）、フラッシュ６の発光を行わせる発光制御信号を送出す
ることにより、フラッシュ６を発光させる（ステップＳ１４）。暗環境において突然フラッシュを焚くことにより、侵入者に対する目くらましや威嚇となり、侵入者の撃退効果が高まる。
【００６７】
＜第３の動作例：撮像＞
第３の動作例における撃退処理は、図１２のフローチャートに従って実行される。本動作例の場合は、フラッシュ６、警告出力部７などは不要である。また、撮像部５には暗環境での撮像が可能な高感度カメラを用いるとよい。
【００６８】
コントローラ９は、第１の動作例と同様に、玄関照明４の点灯および消灯の制御を行った後（ステップＳ１０〜Ｓ１３）、撮像部５の撮像を行わせる撮像制御信号を送出することにより、侵入者を撮影する（ステップＳ１５）。ここで撮影した画像は侵入の証拠となり、犯罪者の捜索、逮捕に役立つ。
【００６９】
＜第４の動作例：警報出力＞
第４の動作例における撃退処理は、図１３のフローチャートに従って実行される。本動作例の場合は、撮像部５、フラッシュ６などは不要である。
【００７０】
コントローラ９は、第１の動作例と同様に、玄関照明４の点灯および消灯の制御を行った後（ステップＳ１０〜Ｓ１３）、侵入者に対して警告を促す内容の音信号を警告出力部７に送出する（ステップＳ１６）。例えば、退去を促す警告音、警告メッセージや、サイレンやベルなどの警報を出力すればよい。視野を奪った状態で警告や警報を出力することで、侵入者を威嚇・撃退する効果が高まる。
【００７１】
＜第５の動作例：フラッシュ＋撮像＋警告出力＞
第５の動作例における撃退処理は、図１４のフローチャートに従って実行される。本動作例の場合は、撮像部５、フラッシュ６、警告出力部７を全て備える。
【００７２】
コントローラ９は、第１の動作例と同様に、玄関照明４の点灯および消灯の制御を行った後（ステップＳ１０〜Ｓ１３）、発光制御信号および撮像制御信号を送出してフラッシュ６を焚きつつ撮像部５で撮像を行う（ステップＳ１７、Ｓ１８）。続いて、「写真を撮影し、センターに通報しました。」などの警告メッセージを警告出力部７から音声出力する（ステップＳ１９）。これにより、さらなる威嚇・撃退効果を狙う。
【００７３】
＜第６の動作例：遮光部のロック＞
第６の動作例では、ロック機構が設けられた遮光部２を用い、侵入者を検知したときには遮光部２をロックすることで、居住エリアＬＡと玄関エリアＥＡの間の通路を遮断する。
【００７４】
図１５に示すように、ロック機構２０としては、電子錠のごとく電気信号により施錠／開錠されるようなものを用いることができる。ロック機構２０の施錠（ロック）／開錠（アンロック）の切り替えは、コントローラ９によって制御される。
【００７５】
第６の動作例における撃退処理は、図１６のフローチャートに従って実行される。本動作例の場合は、撮像部５、フラッシュ６、警告出力部７などは不要である。
【００７６】
コントローラ９は、第１の動作例と同様に、玄関照明４の点灯および消灯の制御を行った後（ステップＳ１０〜Ｓ１３）、遮光部２のロック機構２０に遮断制御信号を送出する（ステップＳ２０）。すると、遮光部２がロックされ、居住エリアＬＡと玄関エリアＥＡの間の通路が遮断される。これにより、侵入者が居住エリアＬＡに進み入ることを困難に
でき、防犯性が高くなる。
【００７７】
このように本例では、ロック機構２０を有する遮光部２が本発明の遮断手段に対応し、ロックされた状態が遮断状態、アンロックされた状態が非遮断状態に該当する。
【００７８】
＜第７の動作例：玄関照明自動ＯＮ／ＯＦＦ＞
図１７は、防犯システムの第７の動作例を示すフローチャートである。
【００７９】
コントローラ９は、状態検知部３からの検知信号を監視している（ステップＳ２１，Ｓ２２）。状態検知部３から遮光状態検知信号を受け取った場合には（ステップＳ２１；Ｙｅｓ）、コントローラ９は動作モードを警戒モードに切り替える（ステップＳ２３）。
【００８０】
遮光部２が閉められると必然的に玄関エリアＥＡが暗環境となる。ところが、外出の際は遮光部２を閉めた後に玄関まで移動し、靴を履き、開錠し、ドアを開けるといった行為を玄関エリアＥＡ内で行わなければならない。そこで本動作例では、利用者が外出を完了するまでのあいだ玄関照明４を自動的に点灯状態にするような制御を行う。
【００８１】
コントローラ９は、警戒モードに切り替えた後（ステップＳ２３）、点灯制御信号を送出し、玄関照明４を点灯させる（ステップＳ２４）。そして、コントローラ９は、制御部８２から玄関ドアＤが施錠された旨の信号を受信するまで待ち（ステップＳ２５、Ｓ２６）、その後、消灯制御信号を送出して玄関照明４を自動消灯させる（ステップＳ２７）。以降の処理は上述した他の動作例と同様である。
【００８２】
本動作例によれば、防犯システム１の利便性が向上する。
【図面の簡単な説明】
【００８３】
【図１】集合住宅の間取りを示す図である。
【図２】防犯システムの構成および設置例を示す図である。
【図３】遮光部の一具体例（扉）を示す図である。
【図４】遮光部の一具体例（カーテン）を示す図である。
【図５】遮光部の一具体例（アコーディオンカーテン）を示す図である。
【図６】状態検知部の一具体例（マグネットセンサ）を示す図である。
【図７】玄関照明のハードウェア構成を示す図である。
【図８】異常検知部のハードウェア構成を示す図である。
【図９】防犯システムの第１の動作例を示すフローチャートである。
【図１０】第１の動作例における撃退処理を示すフローチャートである。
【図１１】第２の動作例における撃退処理を示すフローチャートである。
【図１２】第３の動作例における撃退処理を示すフローチャートである。
【図１３】第４の動作例における撃退処理を示すフローチャートである。
【図１４】第５の動作例における撃退処理を示すフローチャートである。
【図１５】遮光部のロック機構の一具体例を示す図である。
【図１６】第６の動作例における撃退処理を示すフローチャートである。
【図１７】第７の動作例を示すフローチャートである。
【符号の説明】
【００８４】
ＬＡ  居住エリア
ＥＡ  玄関エリア
Ｄ  玄関ドア
１  防犯システム
２  遮光部
３  状態検知部
４  玄関照明
５  撮像部
６  フラッシュ
７  警告出力部
８  異常検知部
９  コントローラ
２０  ロック機構
３０  スイッチ部
３１  マグネット部
４０  照明部
４１  点灯／消灯切替ＳＷ
４２  ＳＷ部
４３  信号受信部
４４  制御部
８０  検知部
８１  施錠／開錠部
８２  制御部
８３  信号出力部
【図１】
2005275704.tif 000003
【図２】
2005275704.tif 000004
【図３】
2005275704.tif 000005
【図４】
2005275704.tif 000006
【図５】
2005275704.tif 000007
【図６】
2005275704.tif 000008
【図７】
2005275704.tif 000009
【図８】
2005275704.tif 000010
【図９】
2005275704.tif 000011
【図１０】
2005275704.tif 000012
【図１１】
2005275704.tif 000013
【図１２】
2005275704.tif 000014
【図１３】
2005275704.tif 000015
【図１４】
2005275704.tif 000016
【図１５】
2005275704.tif 000017
【図１６】
2005275704.tif 000018
【図１７】
2005275704.tif 000019